(57)【特許請求の範囲】
【請求項１】
パイプ状の被覆の内部に冷却水を流す流路を設け、該流路と連通して冷却水が流される冷却水ニップルを前記被覆の両端に接続し、前記流路に導体を設けると共に該導体の両端と導通する端子を夫々設けた給電ケーブルにおいて、
前記流路と連通させて冷却水を流すための筒状であってかつ導電性の導体ニップルの一端側を前記被覆の端部に挿入すると共に、該導体ニップルの内部に前記導体の端部近傍を挿入し、前記導体の端部を該導体ニップルの他端側に結合する一方、前記冷却水ニップルを導電性の材料により形成し、
前記冷却水ニップルの一端側と前記導体ニップルの他端側とを、前記導体の端部が前記冷却水ニップルの内部に挿入された状態で着脱自在に結合し、前記冷却水ニップルに前記端子を結合したことを特徴とする給電ケーブル。
【請求項２】
前記導体ニップルの他端側への前記導体の端部の結合は、導体ニップルの内部と前記冷却水ニップルの内部との冷却水の流れを阻害することなく、前記導体ニップルの他端側をかしめて行なったことを特徴とする請求項１に記載の給電ケーブル。
【請求項３】
前記冷却水ニップルの一端側と前記導体ニップルの他端側との結合は、前記導体ニップルがユニオンナットに挿通され該ユニオンナットが前記冷却水ニップルの外周面に形成されたおねじ部に螺合されることにより、該ユニオンナットの一端側の内径寸法を小さくした押圧部が前記導体ニップルの他端に形成した大径の被押圧部を前記冷却水ニップルの端面へ押圧して結合されていることを特徴とする請求項１に記載の給電ケーブル。
【請求項４】
前記被覆の端部に挿入された前記導体ニップルの一端側と前記被覆の端部との結合が、前記被覆の外周面を覆う締付バンドによって行われていることを特徴とする請求項１に記載の給電ケーブル。
【発明の詳細な説明】
【０００１】
【発明の属する技術分野】
本発明は、冷却水によって導体の冷却が行なわれるようにした給電ケーブルに関する。
【０００２】
【従来の技術】
高周波誘導加熱装置等においては、高周波電流を通電することにより誘導加熱が行なわれる。そして、給電に用いられる給電ケーブルは導体の発熱を伴うことから、冷却水によって導体の冷却が行なわれる構成の給電ケーブルが用いられる。
【０００３】
従来の給電ケーブルの構成を図２に示す。チューブ状の被覆１の内部に流路２を介して導体３が収容されている。一方、冷却水ニップル４は出入部４ａと出入部４ｂとを有するコの字形状に形成されており、冷却水ニップル４の出入部４ｂの先端には、出入部４ｂの先端に切り込みをいれてかしめてハンダ付けすることにより導体３の先端部を結合したかしめ部５が形成されている。また、冷却水ニップル４における出入部４ｂとは反対側には、端子６が固着されている。前記導体３の端部がかしめ部５に結合された状態で、出入部４ｂに被覆１の先端部が被せられ、締付バンド７によって締め付けられている。
【０００４】
冷却水ニップル４等の取り付けは以下のようにして行う。まず、導体３の端部を露出させるために、被覆１の先端部を図２（ｂ）のＡ位置まで押して圧縮し、被覆１の先端から導体３の端部が突出した状態にする。次に、導体３の端部をかしめ部５でかしめ、その後にハンダ付けし、被覆１の先端部を元の位置まで戻すことで冷却水ニップル４の出入部４ｂに被覆１の先端部を被せる。最後に、被覆１の先端部を締付バンド７によって締め付ける。
【０００５】
【発明が解決しようとする課題】
ところが、被覆１として高周波ゴムホースを用いる場合は、高周波ゴムホース自体が硬質であるため、被覆１の先端部を圧縮して導体３の端部を露出させかしめ部５で導体３をかしめてハンダ付けする作業に困難が伴い、労力と時間が多くかかる。また、水漏れを防止するには締付バンド７により締め付ける部分の寸法Ｂを大きくすると効果的であるが、被覆１の伸縮量が小さいと寸法Ｂが小さくなって水漏れを防止するのに十分でなくなる。
【０００６】
そこで本発明は、斯かる課題を解決した給電ケーブルを提供することを目的とする。
【０００７】
【課題を解決するための手段】
斯かる目的を達成するための請求項１に係る給電ケーブルの構成は、パイプ状の被覆の内部に冷却水を流す流路を設け、該流路と連通して冷却水が流される冷却水ニップルを前記被覆の両端に接続し、前記流路に導体を設けると共に該導体の両端と導通する端子を夫々設けた給電ケーブルにおいて、前記流路と連通させて冷却水を流すための筒状であってかつ導電性の導体ニップルの一端側を前記被覆の端部に挿入すると共に、該導体ニップルの内部に前記導体の端部近傍を挿入し、前記導体の端部を該導体ニップルの他端側に結合する一方、前記冷却水ニップルを導電性の材料により形成し、前記冷却水ニップルの一端側と前記導体ニップルの他端側とを、前記導体の端部が前記冷却水ニップルの内部に挿入された状態で着脱自在に結合し、前記冷却水ニップルに前記端子を結合したことを特徴とする。
【０００８】
斯かる給電ケーブルでは、被覆の端部に筒状の導体ニップルの一端側を挿入し、当該導体ニップルの他端側に前記導体の端部を結合する構成なので、従来のように被覆を圧縮して導体の先端を被覆から突出させる作業が不要である。
【０００９】
請求項２に係る給電ケーブルの構成は、前記導体ニップルの他端側への前記導体の端部の結合は、導体ニップルの内部と前記冷却水ニップルの内部との冷却水の流れを阻害することなく、前記導体ニップルの他端側をかしめて行なったことを特徴とし、
請求項３に係る給電ケーブルの構成は、前記冷却水ニップルの一端側と前記導体ニップルの他端側との結合は、前記導体ニップルがユニオンナットに挿通され該ユニオンナットが前記冷却水ニップルの外周面に形成されたおねじ部に螺合されることにより、該ユニオンナットの一端側の内径寸法を小さくした押圧部が前記導体ニップルの他端に形成した大径の被押圧部を前記冷却水ニップルの端面へ押圧して結合されていることを特徴とし、
請求項４に係る給電ケーブルの構成は、前記被覆の端部に挿入された前記導体ニップルの一端側と前記被覆の端部との結合が、前記被覆の外周面を覆う締付バンドによって行われていることを特徴とする。
【００１０】
【発明の実施の形態】
以下、本発明による給電ケーブルの実施の形態を説明する。図１に示すように冷却水を流す流路２を有する被覆１の内部に導体３が設けられており、該被覆１の先端部に対して導体３が突出した状態となっている。被覆１の端部に冷却水を流すための筒状であって導電性の導体ニップル９の一端側が挿入され、導体ニップル９の内部に導体３の端部近傍が挿入されている。導体ニップル９の左端の上部には切り込みを入れてかしめ部９ａが形成され、かしめ部９ａをかしめてハンダ付けすることにより、導体ニップル９の内部と冷却水を流すための冷却水ニップル８の内部との間での冷却水の流れを阻害することなく、導体３の端部が導体ニップル９の他端側に結合されている。
【００１１】
一方、冷却水ニップル８は、導電性の材料によって形成され、ニップル本体８ａと出入部８ｂと出入部８ｃとで構成されている。出入部８ｃはニップル本体８ａに溶接等によって固着されている。出入部８ｂは、ナット８ｄを緩めた後に出入部８ｂを回動させ、その後にナット８ｄを絞めることにより、方向を変えることができる。ニップル本体８ａには、端子６が溶接等によって固着されている。
【００１２】
出入部８ｃの内部にはテーパ内周面８ｅが、外部にはおねじ部８ｆが形成され、導体ニップル９にはテーパ外周面９ｂが形成されている。そして、導体３の端部を冷却水ニップル８の内部に挿入した状態で、冷却水ニップル８と導体ニップル９とがユニオンナット１０を介して着脱自在に結合されている。即ち、導体ニップル９がユニオンナット１０に回転自在に挿通されており、導体ニップル９のテーパ外周面９ｂの部分を、出入部８ｃのテーパ内周面８ｅに当接させた状態で、ユニオンナット１０のめねじ部１０ａをおねじ部８ｆに螺合させることにより、導体ニップル９を出入部８ｃに着脱自在に結合させることができるようになっている。より詳細に説明すると、ユニオンナット１０には内径寸法を小さくした押圧部１０ｂが形成される一方、該導体ニップル９の他端側には大径の被押圧部９ｃが形成されており、ユニオンナット１０をねじ込むことによりユニオンナット１０の押圧部１０ｂが被押圧部９ｃを押圧し、導体ニップル９のテーパ外周面９ｂが出入部８ｃのテーパ内周面８ｅへ押圧されている。導体３の一端側への冷却水ニップル８の接続が終了したら、導体３の他端側についても同様にして冷却水ニップル８を接続する。
【００１３】
上記の作業が終わったら、給電ケーブルの両端の出入部８ｂ間へ冷却水を流しながら両端の端子６間に高周波電流を流す。図１において、電流は端子６→ニップル本体８ａ→出入部８ｃ→導体ニップル９→かしめ部９ａ→導体３またはこの逆に流れる。一方、冷却水は出入部８ｂ→ニップル本体８ａ→導体ニップル９・導体３間→流路２へと流れ、導体３を冷却する。
【００１４】
【発明の効果】
以上の説明からわかるように、請求項１〜４に係る給電ケーブルによれば被覆の端部に筒状の導体ニップルの一端側を挿入し、当該導体ニップルの他端側に前記導体の端部を結合する構成なので、従来のように被覆を圧縮して導体の先端を被覆から突出させる作業が不要であり、工数を少なくして給電ケーブルを組み立てることができる。
【００１５】
また、被覆の端部への導体ニップルの挿入長さは、従来のように被覆の圧縮され易さとは関係なく増減させることができ、水漏れ防止に対する調整が容易である。
【図面の簡単な説明】
【図１】  本発明による給電ケーブルの実施の形態を示す断面図。
【図２】  従来の給電ケーブルの断面図。
【符号の説明】
１…被覆
２…流路
３…導体
６…端子
８…冷却水ニップル
９…導体ニップル
９ａ…かしめ部
１０…ユニオンナット
【図１】
0004042499.tif 000002
【図２】
0004042499.tif 000003